(57)【特許請求の範囲】
【請求項１】
可撓性チューブ内に通された操作ワイヤの先端に先端処置部が連結されて、上記操作ワイヤを進退操作するための操作部が上記可撓性チューブの基端部に連結された内視鏡用処置具において、
上記操作ワイヤを、上記操作部に対して係脱自在に設けると共に上記可撓性チューブに対して挿脱自在に設け、上記操作部から外して上記可撓性チューブ内から抜き出すことができるように構成すると共に、
上記可撓性チューブの基端部をテーパ状に拡開形成し、その部分を上記操作部に形成された先細りのテーパ状突起部に着脱自在に接続するように構成して、上記可撓性チューブを単体の状態で取り外すことができ、また、同じ可撓性チューブと同じ操作部に対し、先端処置部が上記可撓性チューブの先端に螺合連結される処置具と、先端処置部が上記可撓性チューブの先端に連結されない処置具とを選択して組み付けることができるようにしたことを特徴とする内視鏡用処置具。
【発明の詳細な説明】
【０００１】
【発明の属する技術分野】
この発明は、体腔内に薬液等を送り込んだり体腔内から汚液等を排出するために内視鏡の処置具挿通チャンネルに挿脱使用される送吸液チューブ等の内視鏡処置具用チューブに関する。
【０００２】
【従来の技術】
送吸液チューブ等のような内視鏡処置具用チューブは、内視鏡の処置具挿通チャンネルに挿通されて、例えば胆管や膵管内への造影剤の注入、胆汁液の吸引排出や留置カテーテル等に用いられ、大腸内視鏡において糞便を洗浄するための吸引及び送水や、粘膜面を染色するための染色液の注入、或いは細菌検査のための粘液の採取などに用いられる。
【０００３】
そのような内視鏡用送吸液チューブは、一般に、内視鏡の処置具挿通チャンネルに挿通される可撓性チューブの手元側端部に、注射筒を接続するための金属製の口金が接続されて構成されている。口金は、例えば注射針の針部を途中で切断したもの等である。
【０００４】
【発明が解決しようとする課題】
しかし、上述のような構成の内視鏡用送吸液チューブは、金属によって形成された口金が重いので、図１２に示されるように、内視鏡処置具用チューブ８０の可撓性チューブ８１を内視鏡９０の処置具挿通チャンネルに挿通する際に、口金８２部分が垂れ下がって操作し難く、可撓性チューブ８１から手を放すと、口金８２に引っ張られて処置具挿通チャンネルから抜け落ちてしまう場合がある。
【０００５】
また、内視鏡用送吸液チューブは、可撓性チューブと口金との接続部に段差があって、使用後に内面を完全に洗浄するのが難しい。したがって、使い捨てにするのが好ましいが、金属製の口金は部品コストがかかって経済性が悪い。
【０００６】
そこで本発明は、手元側が軽くて操作性がよく、しかも洗浄性や経済性のよい内視鏡処置具用チューブを提供することを目的とする。
【０００７】
【課題を解決するための手段】
上記の目的を達成するため、本発明の内視鏡処置具用チューブは、注射筒に接続可能な接続部材が、内視鏡の処置具挿通チャンネルに挿脱される合成樹脂製の可撓性チューブの手元側端部に設けられた内視鏡処置具用チューブにおいて、上記可撓性チューブの手元側端部がテーパ状に拡開形成されて、その部分が上記接続部材になっていることを特徴とする。
【０００８】
また、本発明の内視鏡処置具用チューブは、注射筒に接続可能な接続部材が、内視鏡の処置具挿通チャンネルに挿脱される合成樹脂製の可撓性チューブの手元側端部に設けられた内視鏡処置具用チューブにおいて、上記接続部材を弾力性のある非金属部材によって形成し、上記可撓性チューブの手元側端部を上記接続部材に圧入接続したことを特徴とする。
【０００９】
なお、上記接続部材の上記注射筒と接続される側の部分が、口元側へ漸次広がるテーパ筒状に形成されていてもよく、上記接続部材の上記注射筒と接続される側の部分が円筒状に形成されていてもよい。
【００１０】
また、本発明の内視鏡処置具用チューブは、注射筒に接続可能な接続部材が、内視鏡の処置具挿通チャンネルに挿脱される合成樹脂製の可撓性チューブの手元側端部に設けられた内視鏡処置具用チューブにおいて、上記可撓性チューブの手元側端部がラッパの先状に拡開形成されて上記接続部材に圧入接続されていることを特徴とする。
【００１１】
なお、上記可撓性チューブの手元側端部の形状に対応する溝が上記接続部材に形成されていて、その溝に上記可撓性チューブの手元側端部が嵌め込まれるようにしてもよい。
【００１２】
また、上記接続部材が内視鏡処置具の操作部に対して着脱自在に接続されるようにしてもよい。
【００１３】
【発明の実施の形態】
図面を参照して本発明の実施の形態を説明する。
図３は、本発明を内視鏡用送吸液チューブ１０に適用した第１の実施の形態を示しており、図示されていない内視鏡の処置具挿通チャンネルに挿通される可撓性チューブ１１が、例えば四フッ化エチレン樹脂、軟質塩化ビニル樹脂又はポリオレフィン樹脂等のように柔軟な合成樹脂材料によって形成されている。
【００１４】
図２に示されるように、可撓性チューブ１１の先端部分１３の外縁部は、粘膜面等を傷つけないように、滑らかなＲ面取りがされている。ただし、使用目的等に応じて、先端部分１３はどのように形成してもよく、口金等を接続してもよい。
【００１５】
図１に示されるように、可撓性チューブ１１の手元側端部は、注射筒１００の先に形成されたテーパ筒部１０１がしっくりと差し込み接続されるように、口元側へ漸次広がるテーパ状に拡開形成されていて、その部分が注射筒１００と接続される接続部材１２になっている。
【００１６】
このようにして、内視鏡用送吸液チューブ１０は、全体として柔軟な合成樹脂材料による一つの部品として形成されている。したがって、内部に段差がなくて洗浄性がよい。そして、その手元側端部は重量が軽くて、内視鏡の処置具挿通チャンネルに挿通する際に垂れ下がらないので、操作性がよい。
【００１７】
また、接続部材１２部分は必要最小限の大きさに形成することができるので、少し太めの処置具挿通チャンネルであれば、使用目的に応じて接続部材１２部分も挿通させることができる。
【００１８】
また、内視鏡用送吸液チューブ１０は低コストで製造することができるので、必要に応じて使い捨てにしても経済性がよく、接続部材１２が内視鏡の処置具挿通チャンネルに通らない場合には、接続部材１２部分を切断して使用しても惜しくない。
【００１９】
図４は、本発明の第２の実施の形態の内視鏡用送吸液チューブの手元側端部を示しており、接続部材１２は、柔軟で弾力性のある合成樹脂又はゴム材等の非金属材料によって可撓性チューブ１１とは別部品として形成されている。
【００２０】
接続部材１２は、注射筒１００が接続されるように口元側へ漸次広がるテーパ状に形成されたテーパ筒状部１２ａと、可撓性チューブ１１の手元側端部が圧入接続される円筒状部１２ｂとが一体に形成されており、必要最小限の肉厚によって軽量に形成されている。
【００２１】
また、接続部材１２が柔軟で弾力性のある材料で形成されているので、可撓性チューブ１１との接続部を接着する必要はなく、接続部材１２を取り外す必要がある場合には、少し力を入れて接続部材１２を手元側に引っ張ればよい。
【００２２】
図５は、本発明の第３の実施の形態の内視鏡用送吸液チューブの手元側端部を示している。この実施の形態では、接続部材１２の形状だけが上述の第２の実施の形態と相違しており、接続部材１２が全体として単純な円筒状に形成されていて、その半部１２ｂに可撓性チューブ１１の手元側端部が圧入接続されている。
【００２３】
そして、可撓性チューブ１１が差し込まれていない残りの半部１２ａに、注射筒１００のテーパ筒部１０１が差し込まれ、接続部材１２は柔軟で弾力性のある材料で形成されているので、注射筒１００のテーパ筒部１０１の形状に沿って変形する。
【００２４】
このように、接続部材１２を単純な円筒状に形成することにより、第２の実施の形態より製造コストを下げることができ、また、処置具挿通チャンネル内を通過させるのにも都合がよい。
【００２５】
図６は、本発明の第４の実施の形態の内視鏡用送吸液チューブの手元側端部を示している。この実施の形態では、可撓性チューブ１１の手元側端部１１ａがラッパの先状に拡開形成されている。
【００２６】
そして、テーパ筒状部１２ａが形成された接続部材には、可撓性チューブ１１の手元側端部１１ａの形状に対応するラッパの先状の形状の溝が形成されていて、その溝内に可撓性チューブ１１の手元側端部１１ａが圧入状態に嵌め込まれている。
【００２７】
したがって、可撓性チューブ１１と接続部材１２との接続強度が強い。ただし、接続部材１２を強い力で手元側に引っ張れば接続を外すことができ、それから再び接続することもできる。
【００２８】
図７は本発明の第５の実施の形態の内視鏡用送吸引チューブ１０を示しており、第１の実施の形態と同様に可撓性チューブ１１の手元側にテーパ状の接続部材１２を一体成形したものであるが、内周面から段差を完全になくしたものである。したがって、さらに内部に汚物が溜まるおそれがなく、洗浄が容易である。
【００２９】
なお、接続部材１２部分のテーパの角度は、接続対象の部材に対してくさび作用によって食い込む程度であればよく、例えば注射針と注射筒との接続部のテーパである６／１００程度の勾配であればよい。
【００３０】
図８は本発明の第６の実施の形態を示しており、第５の実施の形態の内視鏡用送吸引チューブと同形状の可撓性チューブ１１を、内視鏡用ホットバイオプシー鉗子に適用したものである。
【００３１】
この実施の形態においては、一対の鉗子カップ２０１が設けられた先端処置部２００と、その鉗子カップ２０１を開閉操作する操作部１００との間を接続する可撓性の接続部分が、図７に示した可撓性チューブ１１によって接続されている。
【００３２】
先端処置部２００には、図９に示されるように、支軸２０２によって先端本体２０３に回転自在に支持された一対の組織採取カップ（先端処置部材）２０１が、操作ワイヤ２０４の進退動作によって駆動されるリンク機構２０５の先端側に連結されて構成されている。
【００３３】
操作ワイヤ２０４は、例えばステンレス鋼線の撚り線によって形成されており、その先端は、リンク機構２０５の後端側に連結されたワイヤつなぎ２０６にロー付け又ははんだ付け等によって固着、連結されている。
【００３４】
先端本体２０３には、リンク機構２０５を支持するリンク機構支持部２０３ａと、その後側部分において雄ネジが螺設された連結部２０３ｂとが形成されていて、連結部２０３ｂを可撓性チューブ１１の先端に係脱自在に螺合連結させることができるようになっている。可撓性チューブ１１側には予め雌ネジを形成しておく必要はない。
【００３５】
このような構成により、先端処置部２００を可撓性チューブ１１に連結した状態で操作ワイヤ２０４を軸線方向に進退動作させれば、リンク機構２０５が駆動されて組織採取カップ２０１が開閉動作をする。
【００３６】
図８に戻って、操作部１００の本体１０１の先端部分には先細りのテーパ状突起部１０２が真っ直ぐに突設されており、そこに可撓性チューブ１１の基端部に一体的に形成されたテーパ状接続部材１２が食い込み接続されて、摩擦力によってその状態が維持されている。
【００３７】
操作ワイヤ２０４の手元側端部には、固定用端部２０４ｂが形成された補強パイプ２０４ａが取り付けられている。そして、操作部本体１０１の中間部分に大きく形成された長溝１０８内には、操作ワイヤ２０４の固定用端部２０４ｂを固定するためのワイヤ連結部材１０９が長手方向にスライド自在に嵌め込まれていて、ワイヤ連結部材１０９に形成された孔内に操作ワイヤ２０４の固定用端部２０４ｂが差し込まれている。
【００３８】
１１３は、高周波電源との接続を行うために側方に突設された端子であるが、その端子１１３の裏側に突設されたネジ部（押さえネジ）１１４がワイヤ連結部材１０９にねじ込まれていて、操作ワイヤ２０４の固定用端部２０４ｂに押さえネジ１１４の端面が側方から当接するようになっている。
【００３９】
その結果、端子１１３を摘んで押さえネジ１１４をワイヤ連結部材１０９にきつくねじ込むと、操作ワイヤ２０４の固定用端部２０４ｂがワイヤ連結部材１０９に押圧固定される。
【００４０】
端子１１３を逆方向に回転させて押さえネジ１１４を緩めれば、その押圧状態が解かれて操作ワイヤ２０４が操作部１００から外れる状態になる。なお、端子１１３を高周波電源に接続してスイッチオンにすると、高周波電流が、導電材料によって形成された押さえネジ１１４、ワイヤ連結部材１０９、固定用端部２０４ｂ、補強パイプ２０４ａから操作ワイヤ２０４を通って先端側の鉗子カップ２０１に伝達され、いわゆるホットバイオプシーを行うことができる。
【００４１】
ワイヤ連結部材１０９には、操作部本体１０１の長手方向にスライド操作自在なスライダー１１０が連結されており、操作部本体１０１の端部に取り付けられた親指かけ１１１に親指をかけ、スライダー１１０を人指し指と中指とで挟んでスライド操作することにより、操作ワイヤ２０４を軸線方向に進退操作することができる。
【００４２】
このような構成により、操作部１００において操作ワイヤ２０４を前方に軽く押し出し操作することにより、先端の鉗子カップ２０１が開く。この操作は軽い力で行われるので、可撓性チューブ１１の接続部材１２が操作部１００のテーパ状突起部１０２から外れることはない。
【００４３】
次いで、操作部１００において操作ワイヤ２０４を牽引操作すれば、鉗子カップ２０１が閉じて組織を採取することができ、その際に高周波電流を通電することによって、ホットバイオプシーが行われる。
【００４４】
そして使用後には、端子１１３を回転させて押さえネジ１１４を緩め、操作ワイヤ２０４が操作部１００から外れる状態にして、操作部１００から可撓性チューブ１１を引き離し、また可撓性チューブ１１の先端から先端処置部２００を外すことにより、可撓性チューブ１１を単体の状態で取り外すことができる。
【００４５】
このようにして、可撓性チューブ１１のテーパ状接続部材１２側に注射筒等を接続し、可撓性チューブ１１内に消毒液等を注入して内部を容易かつ確実に洗浄、消毒することができる。
【００４６】
また、図１０に示されるように、ホットバイオプシーの先端処置部２００に代えて、高周波スネアの先端処置部３００その他各種処置具を同じ可撓性チューブ１１に組み付けることにより、同じ操作部１００と可撓性チューブ１２を利用して各種の内視鏡的処置を行うことができる。
【００４７】
また、図１１に示される第７の実施の形態のように、図７に示される可撓性チューブ１１を、内視鏡用バスケット型把持具４００その他各種内視鏡用処置具に用いることもできる。
【００４８】
【発明の効果】
本発明によれば、可撓性チューブの手元側端部に設けられた接続部材が軽いので、内視鏡の処置具挿通チャンネルに挿通する際に手元側端部が垂れ下がらず、操作性が非常によい。
【００４９】
そして、接続部材の製造が簡単で製造コストが低いので、使い捨てにしても経済的負担が小さく、可撓性チューブと接続部材とを一体的に形成すれば、内部に段差がなくなって洗浄性もよい。
【図面の簡単な説明】
【図１】本発明の第１の実施の形態の内視鏡用送吸液チューブの手元側端部の側面断面図である。
【図２】本発明の第１の実施の形態の内視鏡用送吸液チューブの先端部分の側面断面図である。
【図３】本発明の第１の実施の形態の内視鏡用送吸液チューブの側面図である。
【図４】本発明の第２の実施の形態の内視鏡用送吸液チューブの手元側端部の側面断面図である。
【図５】本発明の第３の実施の形態の内視鏡用送吸液チューブの手元側端部の側面断面図である。
【図６】本発明の第４の実施の形態の内視鏡用送吸液チューブの手元側端部の側面断面図である。
【図７】本発明の第５の実施の形態の内視鏡用送吸液チューブの側面断面図である。
【図８】本発明の第６の実施の形態の内視鏡処置具の側面断面図である。
【図９】本発明の第６の実施の形態の内視鏡処置具の先端部分の側面断面図である。
【図１０】本発明の第６の実施の形態の内視鏡処置具の分解状態の側面断面図である。
【図１１】本発明の第７の実施の形態の内視鏡処置具の側面図である。
【図１２】従来の内視鏡用送吸液チューブの使用状態を示す側面図である。
【符号の説明】
１０  内視鏡用送吸液チューブ
１１  可撓性チューブ
１２  接続部材
１００  注射筒
【図１】
0004095132.tif 000002
【図２】
0004095132.tif 000003
【図３】
0004095132.tif 000004
【図４】
0004095132.tif 000005
【図５】
0004095132.tif 000006
【図６】
0004095132.tif 000007
【図７】
0004095132.tif 000008
【図８】
0004095132.tif 000009
【図９】
0004095132.tif 000010
【図１０】
0004095132.tif 000011
【図１１】
0004095132.tif 000012
【図１２】
0004095132.tif 000013